(57)【要約】【課題】回転操作による筒形弁で開閉できることにより、全体の外形を小型化し、取り扱いに便利な消防ホース用ストップバルブを提供する。【解決手段】内筒２の外側に外筒４を接続し、前記外筒４の内周に、内筒２に対してこの外筒４が後退位置にあるとき内筒の先端に当接する弁座３を設け、前記内筒２の内側で先端側の位置に、この内筒２の内部に納まる弁軸５の先端部に、内筒２に対して外筒４が後退位置にあるとき、弁座３に対して前方に離れた開弁位置にあり、内筒２に対して外筒４が前進位置にあるとき弁座３が当接して閉弁位相になる弁体６を取付けた。【選択図】図１
0003156535.tif 000002
【実用新案登録請求の範囲】
【請求項１】
後端に消防用ホースを接続するためのホース接続部を備えた内筒の外側に、内筒に対して回転することにより軸方向に移動するよう螺合し、前記内筒の先端から前方に突出する先端側にホース接続部を有する外筒を接続し、
前記外筒の内周に、内筒に対してこの外筒が後退位置にあるとき内筒の先端に当接して軸方向の移動の後退位置を規定する弁座を設け、
前記内筒の内側で先端側の位置に、この内筒の内周及び弁座の内周との間に流体通路を形成した状態で納まる弁軸を設け、
前記弁軸の先端部に、内筒に対して外筒が後退位置にあるとき、弁座に対して前方に離れた開弁位置にあり、内筒に対して外筒が前進位置にあるとき弁座が当接して閉弁位相になる弁体を取付け、
前記内筒に対する外筒の回転操作で、弁座と弁体で流体通路を開閉するようにした消防ホース用ストップバルブ。
【請求項２】
上記外筒の外周に回動操作のためのグリップが設けられ、この外筒の後端から突出する内筒の後端側外周面が内筒を保持するための把持筒部になっている請求項１に記載の消防ホース用ストップバルブ。
【考案の詳細な説明】
【技術分野】
【０００１】
この考案は、消防用ホースの接続に用いる消防ホース用ストップバルブ、更に詳しくは、開閉操作を内筒の回転操作によって行えるようにし、外形の小径小型化を可能にしたストップバルブに関する。
【背景技術】
【０００２】
消防用ホースの接続に用いられているストップバルブは、両端にホース接続部を備えたバルブ本体に開閉弁を設け、開閉弁を閉弁状態とすることで、給水源の元栓を閉じることなく消防ホースの接続が行えるようになっている。
【０００３】
従来のストップバルブは、両端にホース接続部を備えたバルブ本体の途中に、開閉弁としてボールバルブを設け、このボールバルブをバルブ本体の外部に設けた棒状レバーの回動操作やコ字形レバーの前後方向への揺動操作によって開閉する構造になっている（例えば、特許文献１参照）。
【先行技術文献】
【特許文献】
【０００４】
【特許文献１】実開昭４９−３１２７号公報
【考案の概要】
【考案が解決しようとする課題】
【０００５】
ところで、上記のようなボールバルブの採用は、構造が複雑で故障の発生が多く高価格であると共に、流体通路よりも大径のボールを使用するため、バルブ本体の途中が大きく膨らみ、しかも外部に棒状レバー又はコ字形レバーが突出するので、全体の外形が大型化し、取り扱いに不便であるという問題がある。
【０００６】
そこで、この考案の課題は、回転操作による筒形弁で開閉できるようにし、バルブ本体の小径化と外部への突出部分の発生をなくすことで全体の外形を小型化し、取り扱いに便利な消防ホース用ストップバルブを提供することにある。
【課題を解決するための手段】
【０００７】
上記の課題を解決するため、この考案は、後端に消防用ホースを接続するためのホース接続部を備えた内筒の外側に、内筒に対して回転することにより軸方向に移動するよう螺合し、前記内筒の先端から前方に突出する先端側にホース接続部を有する外筒を接続し、前記外筒の内周に、内筒に対してこの外筒が後退位置にあるとき内筒の先端に当接して軸方向の移動の後退位置を規定する弁座を設け、前記内筒の内側で先端側の位置に、この内筒の内周及び弁座の内周との間に流体通路を形成した状態で納まる弁軸を設け、前記弁軸の先端部に、内筒に対して外筒が後退位置にあるとき、弁座に対して前方に離れた開弁位置にあり、内筒に対して外筒が前進位置にあるとき弁座が当接して閉弁位相になる弁体を取付け、前記内筒に対する外筒の回転操作で、弁座と弁体で流体通路を開閉するようにしたものである。
【０００８】
上記外筒の外周に回動操作のためのグリップが設けられ、この外筒の後端から突出する内筒の後端側外周面が内筒を保持するための把持筒部になっている構造とすることができる。
【０００９】
ここで、上記外筒は、円筒状となる外筒本体の先端に大径筒部を設けて形成され、この外筒本体と大径部の境界部分の内周に円形鍔状の弁座が周設され、前記大径部にホース接続部が螺合連結されている。
【００１０】
上記内筒は、外筒本体の内部に後端側から挿入する円筒状内筒本体の後端が、一段大径の把持筒部となり、この把持筒部内にホース接続部が螺合連結され、前記外筒本体の内周面に形成した雌ねじと内筒本体の外周面に形成した雄ねじが螺合し、内筒に対して外筒を回動させると、雌ねじと雄ねじの送り作用で外筒が軸方向に進退動するようになっている。
【００１１】
上記内筒に設けた弁軸は、後端が円錐となる円軸状に形成され、放射状の配置となる複数のステーにより、内筒と同軸心の配置に固定され、その先端側外周に、弁座の内径よりも少し大径となる弁体が固定され、外筒を回転させると弁座は弁体に対して進退動し、流体通路を開閉することになる。
【考案の効果】
【００１２】
この考案によると、内筒に対して外筒を回動させることで弁座が弁体に対して進退動し、流体通路の遮断と開放が得られるようにしたので、消防用ホースを接続するストップバルブが筒形弁構造となり、バルブ本体の外径を円筒形とすることで小径かが可能となり、しかも、開閉操作のための外部への突出部分の発生をなくすことで全体の外形を小型化することができ、取り扱いに便利であると同時に、ホース接続状態で邪魔にならないという効果がある。
【図面の簡単な説明】
【００１３】
【図１】この考案に係る消防ホース用ストップバルブの閉弁状態を示す上半分を切り欠いた正面図
【図２】この考案に係る消防ホース用ストップバルブの開弁状態を示す縦断正面図
【考案を実施するための形態】
【００１４】
以下、この考案の実施の形態を図示例に基づいて説明する。
【００１５】
図示のように、消防ホース用ストップバルブ１は、円筒状に形成された内筒２と、この内筒２に対して回転可能に外嵌する円筒状で、内周に弁座３が設けられた外筒４と、前記内筒２の内部に設けられた弁軸５及び弁体６からなり、前記内筒２と外筒４がバルブ本体を構成し、前記内筒２の後端と外筒４の先端にそれぞれホース接続部７と８が設けられている。
【００１６】
上記内筒２は、円筒状で内部が流体通路９となる内筒本体２ａの後端に、一段大径となって外周面にローレット加工が施された把持筒部２ｂを連成して形成され、この把持筒部２ｂの内部にホース接続部７が同軸心の延長状に螺合連結されている。
【００１７】
上記外筒４は、内筒本体２ａに外嵌する円筒状となる外筒本体４ａの先端に、一段大径となる大径筒部４ｂを設けて形成され、この外筒本体４ａと大径部４ｂの境界部分の内周に円形鍔状の弁座３が周設され、前記大径部４ｂにホース接続部８が螺合連結されている。
【００１８】
この外筒本体４ａから大径部４ｂの外周面に、回動操作のための樹脂やゴム製のグリップ１０が設けられている。
【００１９】
上記内筒２と外筒４は、外筒本体４ａの内周面に形成した雌ねじ１１と内筒本体２ａの外周面に形成した雄ねじ１２が螺合し、内筒２に対して外筒４を回動させると、雌ねじ１１と雄ねじ１２の送り作用で外筒４が軸方向に進退動するようになっており、内筒２に対して外筒４が後退位置にあるとき、図２のように、内筒２の先端に弁座３が当接し、外筒４における軸方向の移動の後退位置を規定している。
【００２０】
上記弁軸５は、流体通路９よりも小径の円軸状で後端が円錐部５ａに形成され、内筒２の内周面との間に放射状の配置となる複数のステー１３により、内筒２と同軸心の配置に固定され、その先端側外周に、外径が弁座３の内径よりも少し大径となる弁体６が固定されている。
【００２１】
上記弁体６は、弁本体６ａと弁パッキン６ｂの組み合わせからなり、弁軸５の先端側外周面に形成した小径部５ｂに、弁本体６ａと弁パッキン６ｂを外嵌挿入し、これを弁軸５に螺合したボルト１４の締め付けで弁押え１５を介して軸方向に固定化するようにしている。
【００２２】
上記弁体６は、内筒２に対して外筒４が後退位置にあるとき、図２のように、弁座３に対して前方に離れた開弁位置にあり、また、内筒２に対して外筒４が前進位置にあるとき、図１のように、この弁体６に弁座３が当接して閉弁位相になる配置となり、前記内筒２に対する外筒４の回転操作で弁座３は前後に移動し、この弁座３と弁体６で回転操作による筒形弁を形成し、流体通路９を開閉するようになっている。
【００２３】
なお、内筒２と外筒４に設けるホース接続部７と８は、消防用ホースの接続に用いられている接続構造を採用すればよいが、図示の場合、内筒２の後端に連結したホース接続部７は、把持筒部２ｂの内部に螺合連結した段付き筒１６にボール１７とＯリング１８を介して根元筒１９を接続し、根元筒１９のパッキン２０を組み込んだ後端に外嵌螺合した締め輪２１の内部周囲に、半径方向に移動が可能な複数の爪２２をバネで常時内周に突出するように組込み、締め輪２１の外周に保持用の樹脂やゴム製のタイヤ２３を設けた構造を採用している。
【００２４】
また、外筒４の先端に連結したホース接続部８は、大径部４ｂに螺合連結した接続筒２４の外部に押し輪２５を軸方向に移動可能とした構造を採用し、この外筒４のホース接続部８と上記内筒２のホース接続部７は、互いに嵌まり合って接続することができるような一対の関係になっており、従って、内筒２に接続する消防用ホースの先端には、外筒４と同じ接続部８が設けられ、外筒４に接続する消防用ホースの後端には、内筒２と同じ接続部７が設けられていることになる。
【００２５】
この考案の消防ホース用ストップバルブ１は、上記のような構成であり、内筒２の後端にホース接続部７を用いて上流側消防用ホースの先端を接続し、外筒４の先端にホース接続部８を用いて下流側消防用ホースの後端を接続することで、消防ホース用ストップバルブ１により両消防用ホースの接続を行うものである。
【００２６】
上記の接続状態で、放水をしないときは、図１のように、内筒２に対して外筒４が前進位置にあり、弁座３が前進して弁体６の弁パッキン６ｂに圧接し、流体通路９の先端をシャットした閉弁位相になり、上流側消防用ホースから流体通路９に流入した圧力消火水は遮断され、下流側消防用ホースへの流出はない。
【００２７】
従って、この状態で、消防ホース用ストップバルブ１に対して、下流側消防用ホースの接続や取外しが給水側元栓を開閉することなく行えることになる。
【００２８】
この状態から片方の手で内筒２の把持筒部２ｂを保持し、他方の手で握ったグリップ１０で外筒４を回動させ、内筒２に対して後方に移動させると、図２のように、外筒４と一体に弁座３が後方に移動することで弁体６から離れた開弁となり、上流側消防用ホースと下流側消防用ホースが連通接続し、流体通路９に流入した圧力消火水は弁座３と弁体６の間に生じた隙間を通ってホース接続部８の内部から下流側消防用ホースに流出し、放水が消火活動に使用される。
【００２９】
また、下流側消防用ホースを取外す場合は、外筒４を回転させて前進位置に移動させ、図１のように、弁座３を弁体６に圧接させた閉弁位相にすればよい。
【符号の説明】
【００３０】
１        消防ホース用ストップバルブ
２        内筒
３        弁座
４        外筒
５        弁軸
６        弁体
７        ホース接続部
８        ホース接続部
９        流体通路
１０      グリップ
１１      雌ねじ
１２      雄ねじ
１３      ステー
１４      ボルト
１５      弁押え
１６      段付き筒
１７      ボール
１８      Ｏリング
１９      根元筒
２０      パッキン
２１      締め輪
２２      爪
２３      タイヤ
２４      接続筒
２５      押し輪
【図１】
0003156535.tif 000003
【図２】
0003156535.tif 000004